【手続補正書】
【提出日】平成20年1月29日(2008.1.29)
【手続補正１】
【補正対象書類名】明細書
【補正対象項目名】特許請求の範囲
【補正方法】変更
【補正の内容】
【特許請求の範囲】
【請求項１】  ２次元座標からなる画面を表示する表示装置と組み合わせて使用される指示具の３次元位置座標を検出する座標入力装置であって、
任意の空間上に座標入力領域を定義する複数点の座標値の組を記憶する記憶手段と、
前記記憶手段に記憶されている座標値の組から定義される座標入力領域に、前記指示具の位置座標である３次元座標値が属するか否かを判定する判定手段と、
前記判定手段の判定結果に基づいて、前記指示具の３次元座標を表示画面に対応する２次元座標値に変換する変換手段と
を備えることを特徴とする座標入力装置。
【請求項２】  前記記憶手段は、複数の座標入力領域毎に、各座標入力領域を定義する複数点の座標値の組を記憶する
ことを特徴とする請求項１に記載の座標入力装置。
【請求項３】  前記記憶手段は、更に、複数の座標入力領域毎に、前記指示具の座標入力操作を示すスイッチ情報を記憶する
ことを特徴とする請求項１に記載の座標入力装置。
【請求項４】  前記記憶手段は、更に、複数の座標入力領域毎に、前記指示具が有する複数のスイッチに対してマウスの操作に対応する所定の処理を実行する動作を定義する定義テーブルを記憶する
ことを特徴とする請求項１に記載の座標入力装置。
【請求項５】  ２次元座標からなる画面を表示する表示装置と組み合わせて使用される指示具の３次元位置座標を検出する座標入力装置の制御方法であって、
任意の空間上に座標入力領域を定義する複数点の座標値の組から定義される座標入力領域に、前記指示具の位置座標である３次元座標値が属するか否かを判定する判定工程と、
前記判定工程の判定結果に基づいて、前記指示具の３次元座標を表示画面に対応する２次元座標値に変換する変換工程と
を備えることを特徴とする座標入力装置の制御方法。
【請求項６】  前記判定工程は、複数の座標入力領域のそれぞれを定義する複数点の座標値の組から定義される座標入力領域のいずれかに、前記指示具の位置座標である３次元座標値が属するか否かを判定する
ことを特徴とする請求項５に記載の座標入力装置の制御方法。
【請求項７】  前記判定工程は、前記指示具の座標入力操作を示すスイッチ情報が定義された座標入力領域に、前記指示具の位置座標である３次元座標値が属するか否かを判定する
ことを特徴とする請求項５に記載の座標入力装置の制御方法。
【請求項８】  前記判定工程は、前記指示具が有する複数のスイッチに対してマウスの操作に対応する所定の処理を実行する動作が定義された座標入力領域に、前記指示具の位置座標である３次元座標値が属するか否かを判定する
ことを特徴とする請求項５に記載の座標入力装置の制御方法。
【請求項９】  コンピュータに、２次元座標からなる画面を表示する表示装置と組み合わせて使用される指示具の３次元位置座標を検出させるためのプログラムを記憶したコンピュータ読み取り可能な記憶媒体であって、コンピュータに、
任意の空間上に座標入力領域を定義する複数点の座標値の組から定義される座標入力領域に、前記指示具の位置座標である３次元座標値が属するか否かを判定する判定手順と、
前記判定工程の判定結果に基づいて、前記指示具の３次元座標を表示画面に対応する２次元座標値に変換する変換手順と
を実行させるためのプログラムを記録したコンピュータ読み取り可能な記録媒体。
【手続補正２】
【補正対象書類名】明細書
【補正対象項目名】発明の名称
【補正方法】変更
【補正の内容】
【発明の名称】座標入力装置及びその制御方法、記録媒体
【手続補正３】
【補正対象書類名】明細書
【補正対象項目名】０００１
【補正方法】変更
【補正の内容】
【０００１】
【発明の属する技術分野】
本発明は、２次元座標からなる画面を表示する表示装置と組み合わせて使用される指示具の３次元位置座標を検出する座標入力装置及びその制御方法、コンピュータ読み取り可能な記録媒体に関するものである。
【手続補正４】
【補正対象書類名】明細書
【補正対象項目名】０００７
【補正方法】変更
【補正の内容】
【０００７】
本発明は上記の課題を解決するためになされたものであり、予め定義された場所からの座標入力を実現することができる座標入力装置及びその制御方法、コンピュータ読み取り可能な記録媒体を提供することを目的とする。
【手続補正５】
【補正対象書類名】明細書
【補正対象項目名】０００８
【補正方法】変更
【補正の内容】
【０００８】
２次元座標からなる画面を表示する表示装置と組み合わせて使用される指示具の３次元位置座標を検出する座標入力装置であって、
任意の空間上に座標入力領域を定義する複数点の座標値の組を記憶する記憶手段と、
前記記憶手段に記憶されている座標値の組から定義される座標入力領域に、前記指示具の位置座標である３次元座標値が属するか否かを判定する判定手段と、
前記判定手段の判定結果に基づいて、前記指示具の３次元座標を表示画面に対応する２次元座標値に変換する変換手段と
を備える。
【手続補正６】
【補正対象書類名】明細書
【補正対象項目名】０００９
【補正方法】削除
【補正の内容】
【手続補正７】
【補正対象書類名】明細書
【補正対象項目名】００１０
【補正方法】削除
【補正の内容】
【手続補正８】
【補正対象書類名】明細書
【補正対象項目名】００１１
【補正方法】削除
【補正の内容】
【手続補正９】
【補正対象書類名】明細書
【補正対象項目名】００１２
【補正方法】削除
【補正の内容】
【手続補正１０】
【補正対象書類名】明細書
【補正対象項目名】００１３
【補正方法】削除
【補正の内容】
【手続補正１１】
【補正対象書類名】明細書
【補正対象項目名】００１７
【補正方法】変更
【補正の内容】
【００１７】
図中４は筆記具であるところの座標入力ペンであり、操作者による座標入力動作により空中に音波を発生するように構成されている。発生した音波は複数の検出センサ３（本実施例の場合、４個の検出センサ3_Sa〜Sdを使用する）により検出され、後述する方法により信号波形検出回路2で処理された後、演算制御回路１によって、座標入力ペン４の発信源位置（X,Y,Z）を算出するように構成されている。演算制御回路１は装置全体を制御するとともに、得られる座標データを基に、ディスプレイ駆動回路5を介して、ディスプレイ６に表示されているカーソルを移動したり、あるいは筆記等の手書き情報をディスプレイ６に表示、追記できるように構成されている。
【手続補正１２】
【補正対象書類名】明細書
【補正対象項目名】００３３
【補正方法】変更
【補正の内容】
【００３３】
信号波形検出回路２より出力される各検出センサ３_Ｓa〜Ｓdよりの振動到達タイミング信号（信号５６、もしくは後述する信号５９）は、検出信号入力ポート１３を介してラッチ回路１５_a〜dに各々入力される。ラッチ回路１５_a〜dの各々は、対応する検出センサ３_Ｓa〜Ｓdよりの振動到達タイミング信号を受信すると、その時のタイマ１２の計時値をラッチする。
【手続補正１３】
【補正対象書類名】明細書
【補正対象項目名】００４８
【補正方法】変更
【補正の内容】
【００４８】
上記の方法により正確に求められた音波発生源４３と各検出センサ３_Ｓa〜Ｓdまでの距離を各々Ｌa〜Ｌd、Ｘ方向の検出センサ間距離をＸs-s、Y方向の検出センサ間距離をＹs-sとすれば、
【手続補正１４】
【補正対象書類名】明細書
【補正対象項目名】００５１
【補正方法】変更
【補正の内容】
【００５１】
以上示したように、少なくとも３個の音波発生源４３と検出センサ３までの距離が測定できれば、容易に音波発生源４３の位置（空間）座標を求めることが可能となる。
【手続補正１５】
【補正対象書類名】明細書
【補正対象項目名】００５６
【補正方法】変更
【補正の内容】
【００５６】
図７に示すように、領域Ａ、領域Ｂ、領域Ｃの空間がそれぞれ、独立に表示装置６の表示画面に対応した座標入力領域として定義されている。
【手続補正１６】
【補正対象書類名】明細書
【補正対象項目名】００９０
【補正方法】変更
【補正の内容】
【００９０】
また、座標入力領域でスイッチ情報を決定するだけでなく、座標入力領域毎に指示具４が有するスイッチに対し、マウスの操作に対応する所定の処理を実行する動作を定義するように設定しても良い。例えば、出荷時には、図１２に示すようなペンサイドスイッチ４２_a、４２_bがそれぞれ、マウスの左ボタン、右ボタンに設定してあっても、ユーザの利き手に対応して、左右逆に設定することも可能である。具体的には、例えば、図１３に示すような指示具４の各スイッチに対し、所定の処理動作を定義する定義テーブルを構成し、この定義テーブルに従って座標入力を制御する。
【手続補正１７】
【補正対象書類名】明細書
【補正対象項目名】００９２
【補正方法】変更
【補正の内容】
【００９２】
領域Ｂでは、ペン先スイッチ４２がダブルクリック（Ｄｏｂｌｅ  ｃｌｉｃｋ）、ペンサイドスイッチ４２_aがマウスの右ボタン（Ｒｉｇｈｔ）、ペンサイドスイッチ４２_bがマウスの左ボタン（Ｌｅｆｔ）を割り振り、ペンダウンはペンサイドスイッチ４２_bに従って決定される。
【手続補正１８】
【補正対象書類名】明細書
【補正対象項目名】０１０４
【補正方法】変更
【補正の内容】
【０１０４】
【発明の効果】
以上説明したように、本発明によれば、予め定義された場所からの座標入力を実現することができる座標入力装置及びその制御方法、コンピュータ読み取り可能な記録媒体を提供できる。